(57)【要約】【課題】  縫合すべき布地の厚みとは無関係に布地押えによる布地の押圧力を自動的にほぼ一定に保てるようにする。【解決手段】  布地押えを担持する押え棒と布地押えによる布地の押圧力を調節する付勢力制御手段とを備えたミシンの布地押え装置であって、付勢力制御手段は、摺動ピストン(５)を有する空圧式シリンダ（４）を備え、該シリンダの内部に形成された空圧作動室は空圧調整器（１０）を有する空圧制御システム（９）に連通しており、該空圧制御システムは、前記空圧作動室の圧力を検知し、空圧調整器（１０）の減圧安定弁（１７）により当該空圧作動室の圧力を設定するように構成され、更に、あらゆるスラスト条件において布地押え（３）による所望の押圧力を設定するために、種々の動作パラメータの設定を行うコンピュータ制御式の制御システムが設けられている、ことを特徴とする。【選択図】図３
2004305773.tif 000002
【特許請求の範囲】
【請求項１】
布地押えを担持する押え棒と、前記布地押えによる布地の押圧力を調節し得る空圧式の付勢力制御手段とを備えたミシンの布地押え装置であって、
前記付勢力制御手段（１）は、その内部で摺動するピストン(５)を有する少なくとも一つの空圧式シリンダ（４）を備え、
該空圧式シリンダ（４）の内部には、前記ピストン（５）により少なくとも一つの空圧作動室が形成され、該空圧作動室は空圧調整器（１０）を有する空圧制御システム（９）に連通しており、
該空圧制御システム（９）は、前記空圧式シリンダ（４）の前記空圧作動室の圧力を検知し、前記空圧調整器（１０）の少なくとも１つの減圧安定弁（１７）により前記空圧作動室の圧力を設定するように構成され、
更に、コンピュータ制御式の制御システムが設けられ、該制御システムにより、あらゆるスラスト条件において布地押え（３）の押え棒（２）による所望の押圧力を設定するために、種々の動作パラメータが設定される、
ことを特徴とするミシンの布地押え装置。
【請求項２】
請求項１に記載のミシンの布地押え装置であって、
圧力センサ及び前記減圧安定弁（１７）を介して、前記空圧調整器(１０)により空圧制御が行われ、
前記減圧安定弁（１７）による空圧供給量が、圧力調節器（１１）により可変調節されるようにした、
ことを特徴とするミシンの布地押え装置。
【請求項３】
請求項１又は２に記載のミシンの布地押え装置であって、
前記シリンダ（４）と前記空圧調整器（１０）との間に補償装置（１２）が介装されており、
該補償装置（１２）により、圧力調整器（１０）の作動前における圧力変動を補償するようにした、
ことを特徴とするミシンの布地押え装置。
【請求項４】
請求項１又は２に記載のミシンの布地押え装置であって、
前記シリンダ（４）には、前記ピストン（５）を境として前記空圧作動室とは反対側に第２の作動室が画成されており、
前記布地押え（３）を上昇させる際には、前記シリンダ（４）に設けた空圧入出口（１４）を介して上記第２の作動室に空圧を送り込むことにより、前記布地押えの上昇を助勢するようにした、
ことを特徴とするミシンの布地押え装置。
【発明の詳細な説明】
【技術分野】
【０００１】
本発明は、ミシンに関し、詳述すれば、該ミシンにおける布地押え装置に関する。
【背景技術】
【０００２】
産業用ミシンには、爪式、ローラ式、或いはベルト式布地送りシステム、またはその他の類似の布地送りシステムを利用している。このような産業用ミシンでは、送られる布地を押える布地押えが当該布地に作用する押圧力を調節することは、仕上りの良好なステッチを形成する上で重要なことである。布地に作用する押圧力の調節は、従来、布地押えが取付けられている押え棒に作用するバネの伸縮か、または、バネの伸縮に基づいて動作する機械的な押圧システムにより自動的になされている。
【０００３】
ごくありふれたミシンとして、二枚の布地を機械的に縫合するものが知られているが、産業用では、用途や動作モードなどによってミシンの種類が細分化されている。例えば単針ミシンや複針ミシンも知られているところであり、これらはジーンズやカジュアルズボン、作業服、シャツなどの衣服類の縫合に使われている。
【０００４】
このように、産業用ミシンでは広範囲の布地を縫合できるようになっており、しかも、前後ヨークや股、裾なども自動縫合できるようになっている。しかも、布地の薄手、厚手などの種類に応じて、ミシンの布地押えによる押圧力も調節でき、針棒のストロークも調節できるようになっている。
【発明の開示】
【発明が解決しようとする課題】
【０００５】
一般に、従来の産業用ミシンに備わっている布地押えは、押え棒の一端に取り付けられている一方、この押え棒の他端には縫合時での布地押えの上下動を吸収する機械的押圧力調節装置が備わっている。このような押圧力調節装置にあっては、縫合速度の変動により発生するスラストを補償する必要がある一方で、厚みの異なる布地の縫合もできるようになっていなければならない。
【０００６】
例えば図１は従来の産業用ミシン(家庭用ミシンでも同様)の縫合部を縦断面にて示している。同図において、Ｄは布地押えＥを担持する押え棒であり、この押え棒Ｄに、頭部Ｂのある摺動ピンＡが挿入されている。この摺動ピンＡの周囲であって、頭部Ｂと押え棒Ｄの上端との間に付勢バネＣが設けられて、摺動ピンＡを常時上方に付勢している。付勢バネＣによる押圧力は押え棒Ｄを介して布地押えＥに伝達されるが、この押圧力の大きさは摺動ピンＡの頭部Ｂの上方に臨む圧力調節片Ｆの高さ位置によって定まる。この圧力調節片Ｆの高さ位置は、調節摘みＧを回して圧力調節片Ｆを上下させることにより設定できる。
【０００７】
図１に示した構成では、調節摘みＧを一方向に回して圧力調節片Ｆを下降させると、付勢バネＣによる押え棒Ｄに対する付勢力は大きくなり、逆に反対方向に回して圧力調整片Ｆを上昇させると当該付勢力は小さくなるのは明らかである。このような構成でも、縫合している布地から布地押えＥを介して伝わる振動は付勢バネＣにより吸収されるが、全てとは言わないまでも大抵のミシンでは実用上問題がないとは言えない。
【０００８】
即ち、縫合すべき布地の厚みがほぼ一定であれば、付勢バネによる付勢力を一定値に設定しておいても、その布地を縫合している間、布地押えを介して伝わる振動を十分吸収できる。しかし、実際の縫合作業としては布地の厚みは縫合線にわたり一定になっていない場合が多く、圧力調節片をある高さ位置に設定して付勢バネによる付勢力を一定にした場合では、布地の薄い部分の縫合時と厚い部分の縫合時とでは同じ布地に作用する押圧力は一定とはならない。また、調節摘みを回すことで最終的に布地に対する押圧力を調節する構成では、縫合すべき布地の厚さが変わる都度、調節操作が必要であり、しかも、どの程度回すべきであるかは、縫合作業者の熟練度によらざるを得ない。
【０００９】
これら全ては、縫合作業により形成されるステッチの品質に影響する。また、縫合速度も大きく低下せざるを得ない場合がしばしばあり、その結果、縫製時間が犠牲になり、縫製品のコスト高を惹起している。
【００１０】
本発明は、前述の諸問題点を鑑みてなされたものであり、あらゆる縫合作業にわたり、縫合すべき布地の厚みとは無関係に布地押えによる布地の押圧力を自動的にほぼ一定に保つことのできるミシン用布地押え装置を提供するのを目的としたものである。
【課題を解決するための手段】
【００１１】
本発明は、布地押えを担持する押え棒と、前記布地押えによる布地の押圧力を調節し得る付勢力制御手段とを備えたミシンの布地押え装置に関するものであり、前述の諸問題点を解消するために、前記付勢力制御手段は、その内部で摺動するピストンを有する少なくとも一つの空圧式シリンダを備え、該空圧式シリンダの内部には、前記ピストンにより少なくとも一つの空圧作動室が形成され、該空圧作動室は空圧調整器を有する空圧制御システムに連通している。この空圧制御システムは、前記空圧式シリンダの空圧作動室の圧力を検知し、空圧調整器の少なくとも１つの減圧安定弁により空圧作動室の圧力を設定するように構成されており、縫合すべき布地に対する付勢力が自動的に制御される。更に、コンピュータ制御式の制御システムが設けられ、該制御システムにより、あらゆるスラスト条件において布地押えの押え棒による所望の押圧力を設定するために、種々の動作パラメータが設定される。
【発明の効果】
【００１２】
本発明においては、ミシンにおける慣性力を著しく減少させ、かつ、縫合速度の如何にかかわらず、また、縫合すべき布地の厚みの如何にかかわらず、布地押えの押圧力を所要値に一定に保つことにより、ミシンにおける布地押えのスラスト条件を改善できる利点が得られる。
【発明を実施するための最良の形態】
【００１３】
以下、添付図面を参照しながら、本発明の好ましい実施の形態を詳述する。図２において、本発明による付勢力制御器は符号１を以て図示してある。この付勢力制御器１は、あらゆるミシンに適用できるが、特に、爪式、ローラ式、或いはベルト式布地送りシステム、またはその他の類似の布地送りシステムを利用する産業ミシンに適している。
【００１４】
付勢力制御器１は、布地押え３を担持する押え棒２の上方に設けられ、摺動ピストン５を備えた例えば空圧式のシリンダ４を有している。図２から良く分かるように、ピストン５はピストン棒６を介して押え棒２と連結されている。つまり、布地押え３とシリンダ４のピストン５とは、棒状の部材（押え棒２及びピストン棒６）のみによって結合されている。また、ピストン５は、その外周面にＯリングシール７が嵌装されていて、シリンダ４の内部を上室と下室とに区画している。このＯリング７は断面が円形で浮動型であることが望ましい。つまり、このＯリングシール７は、シリンダ４内においてピストン５の「浮動」摺動を許容する、即ち、シリンダ４の内壁面との摺動摩擦が最小限であり、また、粘着現象を起こさないものである。
【００１５】
シリンダ４の上室は可撓性配管８を介して、空圧調整器１０を含む空圧制御システム９に接続している。上記空圧調整器１０は、空圧制御システム９内での圧力を非常に精密に制御するように構成されており、そのために空圧調整器１０には減圧安定弁１７が用いられている。この減圧安定弁１７による空圧供給量は、圧力調節器１１により可変調節される。
【００１６】
シリンダ４と空圧調整器１０との間配管８上に、必要に応じて、補償装置１２を介装してもよい。この補償装置１２は、空圧調整器１０の弁をトリップする前での小さな圧力変動を補償するためのものである。また、空圧調整器１０は、可撓性配管１３を介して、所要量の加圧空気を供給する空圧回路と連通している。
【００１７】
前記構成の付勢力制御器１では、図示しない圧力センサで検出されるシリンダ４の上室における空圧を所定作動圧に設定し、押え棒２のスラストがどのような条件にあっても一定に保つことで、縫製中の布地の厚みの変化、或いは、縫製速度の変化によるスラストの変動を補償することができる。この変動が小さい場合では補償チャンバ１２によりそれが吸収されるが、殆ど全ての変動は空圧調整器１０により、また、それに内蔵されている減圧安定弁１７により制御されて安定化されるのである。
【００１８】
縫製すべき布地をミシンの針板上に導入する際には布地押えを上昇させる必要があるが、本発明においては、これも空圧制御システム、具体的には付勢力制御器１を利用して行うことができる。即ち、付勢力制御器１が醸し出すシリンダ４の上室における圧力を適宜変化させればよいのである。或いは、シリンダ４の下室に空圧を送り込むようにすることによっても、達成できる。即ち、シリンダ４の下室に空気送出口１４を設け、補助バルブ（不図示）を介して空圧源に接続すればよいのである。
【００１９】
言うまでもないことではあるが、本発明の付勢力制御器１に利用する空圧回路など全システムは、コンピュータ制御式として、コンピュータに対する入力に応じて、異なるオプションや動作パラメータを種々設定できるようにすることができる。
【００２０】
尚、ピストン棒６は一本の押え棒２と連結したものとして説明したが、双針縫合ミシンの如く複数の布地押え、ひいては、複数の押え棒を備えたミシンに対してもピストン棒６を分岐させることにより利用できるのは言うまでもない。また、ピストン棒６を補償装置と押え棒とを直結させるのに用いてもよく、その場合、両者間の連結は適当な機械的連結部材と平行に行われる。
【００２１】
以上のように、本実施形態においては、ミシンにおける慣性力を著しく減少させ、かつ、縫合速度の如何にかかわらず、また、縫合すべき布地の厚みの如何にかかわらず、布地押えの押圧力を所要値に一定に保つことにより、ミシンにおける布地押えのスラスト条件を改善することができる。
【産業上の利用可能性】
【００２２】
本発明は、布地押えを担持する押え棒と前記布地押えによる布地の押圧力を調節し得る付勢力制御手段とを備えたミシンの布地押え装置に関するもので、縫合すべき布地の厚みとは無関係に布地押えによる布地の押圧力を自動的にほぼ一定に保てるようにすることができ、種々のタイプのミシン、特に産業用のミシンなどの布地押え装置として、有効に利用することができる。
【００２３】
尚、本発明は、以上の実施態様に限定されるものではなく、その要旨を逸脱しない範囲において、種々の変更・修正あるいは設計上の改良などを行い得るものであることは、言うまでもない。
【図面の簡単な説明】
【００２４】
【図１】従来のミシンにおける布地押え装置の概略構成を示す縦断面図である。
【図２】本発明による布地押え装置の概略構成を示す縦断面図である。
【図３】図２に示した空圧制御システムの拡大詳細図である。
【符号の説明】
【００２５】
１  付勢力制御器
２  押え棒
３  布地押え
４  空圧シリンダ
５  ピストン
６  ピストン棒
７  Ｏリングシール
８  可撓性配管
９  空圧制御システム
１０  空圧調整器
１１  圧力調節器
１２  補償装置
１３  可撓性配管
１４  空気送出口
１７  減圧安定弁
【図１】
2004305773.tif 000003
【図２】
2004305773.tif 000004
【図３】
2004305773.tif 000005